(57)【要約】【課題】使いやすく簡単な動作で肘掛けを邪魔にならないように格納させることができる肘掛け付き椅子を提供すること。【解決手段】肘掛け付き椅子１の肘掛け１３を使用時に肘が掛けられる第１の棒状プレート１４と同第１の棒状プレート１４を下方から支持する第２の棒状プレート１５とから構成し、同両棒状プレート１４，１５を回動可能に連結するとともに、第１の棒状プレート１４の基部１７を背もたれ１１側に、同第２の棒状プレート１５の基部１９を補強プレート５にそれぞれ回動可能に連結する。これによって、肘掛け１３は基部１７，１９が相対的に接近することで両棒状プレート１４，１５が外方に折れ曲がって保持される第１の屈曲位置と、基部１７，１９が相対的に離間して両棒状プレート１４，１５が一直線状に配置される屈曲方向転換位置と、基部１７，１９が相対的に接近することで逆方向（内方）に屈曲する第２の屈曲位置とを取りうることができる。【選択図】      図３
2006006619.tif 000002
【特許請求の範囲】
【請求項１】
座面と、背もたれと、同座面の左右少なくとも一方に肘掛けを設けた肘掛け付き椅子において、
前記肘掛けを使用時に肘が掛けられる第１の棒状部材と同第１の棒状部材を下方から支持する第２の棒状部材とから構成し、同両棒状部材の先端連結部を回動可能に連結するとともに、同第１の棒状部材の基端連結部を背もたれ側に、同第２の棒状部材の基端連結部を座面側にそれぞれ回動可能に連結し、
同両棒状部材の基端連結部側が相対的に接近して第１の棒状部材が同第２の棒状部材に下方から支持されて略水平に配置される第１の屈曲位置と、同両棒状部材の基端連結部側が相対的に離間して同両棒状部材が略一直線状に配置される屈曲方向転換位置と、同両棒状部材の基端連結部側が相対的に接近して同第１の屈曲位置の屈曲方向と逆方向に屈曲する第２の屈曲位置とを取りうることを特徴とする肘掛け付き椅子。
【請求項２】
前記肘掛けには前記第１の屈曲位置での前記第１及び第２の棒状部材の屈曲角度を少なくとも前記第１及び第２の屈曲位置にて保持させる保持機構が併設されていることを特徴とする請求項１に記載の肘掛け付き椅子。
【請求項３】
前記背もたれは上下分割体に分割され、前記第１の棒状部材の基端連結部が同背もたれの上側の分割体に連結されるとともに、上下分割体の離間によって前記両棒状部材が略一直線状に配置されることを特徴とする請求項１又は２に記載の肘掛け付き椅子。
【請求項４】
前記第２の棒状部材の基端連結部は前記座面の側面位置において前後方向にスライド移動可能に取着され、所定スライド位置にて前記両棒状部材が略一直線状に配置されるようになっていることを特徴とする請求項２に記載の肘掛け付き椅子。
【請求項５】
前記第１の棒状部材の基端連結部は前記背もたれの側面位置において上下方向にスライド移動可能に取着され、所定スライド位置にて前記両棒状部材が略一直線状に配置されるようになっていることを特徴とする請求項２に記載の肘掛け付き椅子。
【発明の詳細な説明】
【技術分野】
【０００１】
本発明は肘掛け付き椅子に関するものである。
【背景技術】
【０００２】
椅子には着席したり起立したりする際に体を預けたり、着座した時に手の肘から先の部分を安楽に載せておいたりするための肘掛けが付属している。しかし、肘掛けが付いているためにかえって着座や起立しにくくなる場合がある。
例えば座面の側方に移動しようとする場合には肘掛けが邪魔になってその方向へはすぐさま進むことはできない。立ち上がり回り込んでその方向に進むか、あるいはスペースの関係では椅子を大きくずらさなければ進めないといった面倒なケースもありうる。特に速やかに移動できない老人や体の不自由な人にとってはそのような動作は大きな負担となり好ましくない。また、体の不自由な人はベッドで寝起きすることが多く、ベッドから椅子に移動する場合にはベッドから徐々に体をずらして椅子に乗り込み、逆に椅子からベッドに移動する場合にはその逆の動作をするものである。その際に実際の動作は椅子の前方方向からわざわざ行うのではなく、図２１に示すように椅子をベッドと略平行にセットして椅子の側方から乗り降りするようにすると動作が最小限となるため非常に楽である。ところが椅子に肘掛けが付いているとこれが移動の邪魔になってしまい、そのような最小限の移動ができない。そのためベッドと肘掛け付き椅子の間での移動する場合には椅子の前方側から乗り降りしなくてはならず面倒であった。そのため肘掛けを邪魔にならないように簡単に待避させるようにすれば便利である。
従来から例えば電車の座席や映画館の座席のように大型の椅子では肘掛け不要時に収納させるために収納機能が設けられたものがある。これらは椅子自体しっかりと丈夫に作られているため肘掛けも大型で強度も大きく背もたれ辺りを基点として前方に片持ち状に張り出し形成されている。従ってそのまま基点を中心に回動させ背もたれの厚み内に収納させてしまうことが可能である。しかし、一般に室内で移動可能に置かれる椅子では肘掛けが片持ちには形成されているものは少なくそのため簡単に収納はできない構造である。そのため、特許文献１に開示されるような技術が提案されている。
特許文献１では肘掛け（肘掛け体７）は肘をかける水平部分とこれを下方から支持する支持部を有している。移動可能な椅子ではこのような片持ちではなくこのように下方から支持する構成が一般である。ここでは肘掛け体７が後方（背もたれの背面方向）にスライド移動して座面の側方を開放するというものである。このような構成であれば確かに上記のような不具合は解消される。
【特許文献１】特開平１０−４２９９８号公報
【発明の開示】
【発明が解決しようとする課題】
【０００３】
しかし、特許文献１ではスライド移動した肘掛け体７が背もたれの背面側に突出してしまうため、狭い場所では使用できないケースもありうる。また、使用者が肘掛け体７をスライドさせた際に肘掛け体７先端が謝って周囲に配置した物に当たってしまうという不具合も生じやすい。そのため、使用者は周囲を十分確認しながら肘掛け体７をスライドさせなくてはならず、使用者にストレスを感じさせるとともに、体の不自由な人にとってそのような確認行為（実際に肘掛け体７のスライド方向を目視しなければならない）自体が負担となってしまう。
本発明は、このような従来の技術に存在する問題点に着目してなされたものである。その目的とするところは、使いやすく簡単な動作で肘掛けを邪魔にならないように格納させることができる肘掛け付き椅子を提供することにある。
【課題を解決するための手段】
【０００４】
上記の目的を達成するために請求項１に記載の発明では、背もたれと、同座面の左右少なくとも一方に肘掛けを設けた肘掛け付き椅子において、前記肘掛けを使用時に肘が掛けられる第１の棒状部材と同第１の棒状部材を下方から支持する第２の棒状部材とから構成し、同両棒状部材の先端連結部を回動可能に連結するとともに、同第１の棒状部材の基端連結部を背もたれ側に、同第２の棒状部材の基端連結部を座面側にそれぞれ回動可能に連結し、同両棒状部材の基端連結部側が相対的に接近して第１の棒状部材が同第２の棒状部材に下方から支持されて略水平に配置される第１の屈曲位置と、同両棒状部材の基端連結部側が相対的に離間して同両棒状部材が略一直線状に配置される屈曲方向転換位置と、同両棒状部材の基端連結部側が相対的に接近して同第１の屈曲位置の屈曲方向と逆方向に屈曲する第２の屈曲位置とを取りうるようにしたことをその要旨とする。
また、請求項２の発明では請求項１に記載の発明の構成に加え、前記肘掛けには前記第１の屈曲位置での前記第１及び第２の棒状部材の屈曲角度を少なくとも前記第１及び第２の屈曲位置にて保持させる保持機構が併設されるようにしたことをその要旨とする。
また、請求項３の発明では請求項１又は２に記載の発明の構成に加え、前記背もたれは上下分割体に分割され、前記第１の棒状部材の基端連結部が同背もたれの上側の分割体に連結されるとともに、上下分割体の離間によって前記両棒状部材が略一直線状に配置されるようにしたことをその要旨とする。
また、請求項４の発明では請求項２に記載の発明の構成に加え、前記第２の棒状部材の基端連結部は前記座面の側面位置において前後方向にスライド移動可能に取着され、所定スライド位置にて前記両棒状部材が略一直線状に配置されるようにしたことをその要旨とする。
また、請求項５の発明では請求項２に記載の発明の構成に加え、前記第１の棒状部材の基端連結部は前記背もたれの側面位置において上下方向にスライド移動可能に取着され、所定スライド位置にて前記両棒状部材が略一直線状に配置されるようにしたことをその要旨とする。
【０００５】
このような構成では次のような作用が行われる。まず、第１及び第２の棒状部材の基端連結部側が相対的に離間されて両棒状部材が略一直線状となった屈曲方向転換位置において、両棒状部材の基端連結部側を相対的に接近させることで両棒状部材を折り曲げて第１又は第２の屈曲位置を取りうることが可能となる。第１の屈曲位置、つまり肘掛けを使用できる状態とする場合では第１の棒状部材を略水平に延出されるように移動させていく。これに合わせて第２の棒状部材は立設させていくこととなる。一方、第２の屈曲位置、つまり肘掛けを格納状態とする場合では逆に第１の棒状部材は背もたれの側方に立設させることとなり、これに合わせて第２の棒状部材は座面の側方に倒伏配置させることとなる。
この際に第１又は第２の屈曲位置で第１及び第２の棒状部材が安定して保持されるように、第１及び第２の棒状部材の屈曲角度を少なくとも前記第１及び第２の屈曲位置にて保持させる保持機構が併設されることが好ましい。
また、前記背もたれは上下分割体に分割され、前記第１の棒状部材の基端連結部が同背もたれの上側分割体に連結されるとともに、上下分割体の離間によって前記両棒状部材が略一直線状に配置されるように具体的に構成されることが好ましい。
更に、前記第２の棒状部材の基端連結部は前記座面の側面において前後方向にスライド移動可能に取着され、所定スライド位置にて前記両棒状部材が略一直線状に配置されるように具体的に構成されることが好ましい。
更に、前記第１の棒状部材の基端連結部は前記背もたれの側面において上下方向にスライド移動可能に取着され、所定スライド位置にて前記両棒状部材が略一直線状に配置されるように具体的に構成されることが好ましい。
【発明の効果】
【０００６】
上記各請求項の発明では、使用状態にある肘掛けの第１及び第２の棒状部材を簡単な操作で使用状態とは逆方向に折り曲げることで肘掛けを格納することができ、格納状態で第１又は第２の棒状部材が外方に張り出して邪魔になることもなく、肘掛けを簡便に格納できる肘掛け付き椅子を提供することが可能となる。
【発明を実施するための最良の形態】
【０００７】
以下、本発明の肘掛け付き椅子（以下、単に椅子とする）を具体化した実施の形態を図面に基づいて説明する。尚、以下の各実施の形態では左右両側に対称となるように肘掛けが配設されているが説明の重複を省くため片方の肘掛けについてのみ図示して説明する。また、前方とは普通に椅子に着座した際の足先側をいい、後方とは背側をいうものとする。
（実施の形態１）
図１〜図５に示すように、実施の形態１の椅子１は正方形の座面枠２と同座面枠２の四隅から下方に延出される４本の脚部３（図面では一部図示省略）を備えている。椅子１は単独で移動可能な家具とされている。座面枠２上面にはクッション４が配設され座面を構成している。座面枠２裏面側であって前後及び左右の脚部３間（つまり三方）には座面の一部を構成する直方体形状の補強プレート５が配設されている。
座面枠２の後方には上方に向かって背もたれ基部６が立設形成されている。図４及び図５に示すように、背もたれ基部６の上面から上方に向かって板状のほぞ７が延出されている。同背もたれ基部６の上方には背もたれ本体８が配置されるようになっている。背もたれ本体８の前面にはクッション９が配設されている。背もたれ本体８の内部に前記ほぞ７が入れ子状に嵌合されるスライド溝１０が形成されている。スライド溝１０は背もたれ本体８の下面に開口されている。背もたれ本体８は同背もたれ基部６側のほぞ７に案内されて上下にスライド移動可能とされている。背もたれ本体８はもっとも下降した状態（図１又は図３の状態）で背もたれ基部６と一体となって背もたれ１１を構成する。
【０００８】
座面枠２及び背もたれ１１の左右側方には一対の肘掛け１３が配設されている。肘掛け１３は第１及び第２の棒状部材としての第１及び第２の棒状プレート１４，１５から構成されている。第１の棒状プレート１４の基端連結部としての基部１７はピン１８によって背もたれ本体８の側壁面８ａに対して回動可能に取着されている。第２の棒状プレート１５の基端連結部としての基部１９はピン２０によって左右の補強プレート５の外壁面５ａに対して回動可能に取着されている。 第１の棒状プレート１４の先端連結部としての接続部２１は凸状に切り欠かれており、 第２の棒状プレート１５の先端連結部としての接続部２２は凹状に切り欠かれている。両接続部２１，２２はこれら凹凸の切り欠き部を組み合わせた状態で突き合わせられピン２３によって相対回動可能に連結されている。
【０００９】
次にこのように構成された椅子１の作用について詳述する。
図１に示すように、通常の椅子としての使用状態においては肘掛け１３は第１の棒状プレート１４が水平に延出され、第２の棒状プレート１５は第１の棒状プレート１４の前寄り位置で下方から第１の棒状プレート１４を支持するように配置されることとなる。背もたれ本体８は最下降位置にあって背もたれ基部６と一体となって背もたれ１１を構成している。肘掛け１３のこのような配置位置は第１の屈曲位置に相当する。
図６の機構概念図に示すように、このように配置された肘掛け１３は回り対偶で連結された一種のリンク装置と考えることが可能である。このリンク装置は３節リンクとなるためリンクの長さが変わらない限り規制されて互いに動くことはできない。従って、背もたれ本体８がもっとも下降した状態ではピン１８〜ピン２３、ピン２０〜ピン２３及びピン１８〜ピン２０間の各直線距離は変わらないので肘掛け１３（第１及び第２の棒状プレート１４，１５）は同位置で安定して保持されることとなる。
【００１０】
一方、肘掛け１３が邪魔な場合には最下降位置にあった背もたれ本体８を上方にスライド移動させる。すると図２及び図４に示すように折れ曲がった状態にあった両棒状プレート１４，１５が徐々に伸びて直線状となる。肘掛け１３のこのような配置位置は屈曲方向転換位置に相当する。
図７の機構概念図に示すように、両棒状プレート１４，１５が一直線状になった状態でピン２３は両棒状プレート１４，１５が外方・内方いずれにも折れ曲がることができる思案点に相当する位置に存在することとなる。尚、ここで外方とは図１のように両棒状プレート１４，１５の接続部２１，２２が前方に張り出す方向であって、内方とはそれとは逆に接続部２１，２２が図３のように後退する方向をいう。ここでは肘掛け１３を格納するために使用者は接続部２１，２２を内方側に若干押してやり内方に折り曲がるようなクセをつける。
次いで、上方に移動させた背もたれ本体８を再び下降させていく。すると徐々に第１及び第２の棒状プレート１４，１５が内方側に折れ曲がっていき、背もたれ本体８が背もたれ基部６と一体となる図３の状態となって停止する。第１の棒状プレート１４は背もたれ１１の側方であって背もたれ１１の厚み内に収まるように起立状態で格納されることとなる。また、第２の棒状プレート１５は補強プレート５に沿って水平に配置され座面枠２よりも若干下がった位置に格納されることとなる。肘掛け１３のこのような配置位置は第２の屈曲位置に相当する。
この時、図８の機構概念図に示すように３節リンクを構成することとなるため上記図６における説明と同様肘掛け１３（第１及び第２の棒状プレート１４，１５）はその位置で安定して保持されることとなる。
このように肘掛け１３が格納されることによって肘掛け１３が邪魔にならなくなり、例えば椅子１に座っていた人がそのまま体をずらしながら座面枠２側方に移動して椅子１から降りることができるようになる。また、例えばベッドに寝ている状態からそのまま体をずらしながら椅子１の側方から座面枠２に乗り込むことができることとなる。その際に第２の棒状プレートはちょうど座面枠２と平行に座面の側方に配置されるため移動の際に手を置いたり尻を載せたりする移動補助部材として利用することが可能である。
【００１１】
本発明は上記実施の形態１のように構成することにより次のような具体的効果を奏する。
（１）肘掛け１３が不要な場合に背もたれ本体８を上方にスライド移動させることによって簡単に格納することができる。その際に、第１及び第２の棒状プレート１４，１５は折れ曲がってそれぞれ背もたれ１１側と座面枠２側の邪魔にならない位置に格納されるため、肘掛け１３が椅子１から大きくはみ出て待避するということがなく、邪魔にならない。
（２）第２の棒状プレートはちょうど座面枠２と平行に座面の側方に配置されるため、使用者が側方に移動する際に第２の棒状プレートを移動の際の案内に利用することができる。例えば、第２の棒状プレートに手を置いたりベッドと椅子１との間の連結通路としたりすることが可能となる。
（３）肘掛け１３の使用位置と格納位置のいずれにおいても肘掛け１３を構成する第１及び第２の棒状プレート１４，１５が３節リンクを構築するため、特別な固定装置がなくともしっかり安定してその位置で保持されることとなる。
【００１２】
（実施の形態２）
以下実施の形態２の説明では実施の形態１と共通する構成については詳しい説明を省略する。実施の形態２における図示において実施の形態１と共通する構成部材については共通した番号を付す。
図９〜図１４に示すように、実施の形態２における椅子３１は背もたれ３２が実施の形態１のように上下に分割されずに座面枠２と一体的に一枚で構成され、座面枠２の後方に立設形成されている。背もたれ３２の前面にはクッション３３が配設されている。
座面枠２及び背もたれ３２の左右側方には一対の肘掛け１３が配設されている。実施の形態１とは異なり肘掛け１３の第１の棒状プレート１４の基部１７は背もたれ３２の上部寄り側壁面８ａに対して回動可能に取着されている。また、実施の形態１はと異なり第２の棒状プレート１５の基部１９は大きな切り欠き部３４が形成され、同切り欠き部３５内にはロックナット３５が配設されている。以下、図１２〜図１３に基づいてロックナット３５付近の構造について説明する。
図９及び図１１に示すように左右の補強プレート５には前方寄りに水平に長孔３７が透設されている。長孔３７には長ボルト３８が補強プレート５内側から挿通されている。長ボルト３８先端は第２の棒状プレート１５の基部１９内を横断し、切り欠き部３４に露出されている。ロックナット３５は長ボルト３８先端に螺合されている。このような構成ではロックナット３５と長ボルト３８を締結することで補強プレート５と第２の棒状プレート１５を共締めでき、もって第２の棒状プレート１５を補強プレート５に対して固定することが可能となる。長ボルト３８は長孔３７に沿って前後にスライド移動可能とされており、長ボルト３８の可動範囲において第２の棒状プレート１５の基部１９は前後して任意の位置で固定可能とされている。
【００１３】
次にこのように構成された椅子３１の作用について詳述する。
図９に示すように、通常の椅子としての使用状態においては肘掛け１３は第１の棒状プレート１４が水平に延出され、第２の棒状プレート１５は第１の棒状プレート１４の前寄り位置で下方から第１の棒状プレート１４を支持するように配置されることとなる。肘掛け１３のこのような配置位置は第１の屈曲位置に相当する。この時、図９及び図１２に示すように、第２の棒状プレート１５の基部１９は補強プレート５の最も後方寄り、つまり長ボルト３８が長孔３７の後端位置に配置された状態でロックナット３５が締められている。
図６の機構概念図に示すように、このように配置された肘掛け１３は回り対偶で連結された一種のリンク装置と考えることが可能である。このリンク装置は３節リンクとなるためリンクの長さが変わらない限り規制されて互いに動くことはできない。従って、背もたれ本体８がもっとも下降した状態ではピン１８〜ピン２３、ピン２０〜ピン２３及びピン１８〜ピン２０間の各直線距離は変わらないので肘掛け１３（第１及び第２の棒状プレート１４，１５）は同位置で安定して保持されることとなる。
【００１４】
一方、肘掛け１３が邪魔な場合にはまずロックナット３５を緩め、長ボルト３８を長孔３７に沿ってスライド移動可能とする。そして、図１３に示すように第２の棒状プレート１５の基部１９を補強プレート５の最も前方寄り、つまり長ボルト３８が長孔３７の前端位置に配置させるようにする。ロックナット３５は緩めたままである。すると図１０に示すように折れ曲がった状態にあった両棒状プレート１４，１５が徐々に伸びて直線状となる。肘掛け１３のこのような配置位置は屈曲方向転換位置に相当する。図７の機構概念図に示すように、両棒状プレート１４，１５が一直線状になった状態でピン２３は両棒状プレート１４，１５が外方・内方いずれにも折れ曲がることができる思案点に相当する位置に存在することとなる。ここで肘掛け１３を格納するために使用者は接続部２１，２２を内方側に若干押してやり内方に折り曲げていく。同時に第１の棒状プレート１４はピン１８を支点にして自重によって後方に向かって揺動していく。両棒状プレート１４，１５の内方への折れ曲がりに伴って第２の棒状プレート１５の基部１９は徐々に後退し、図１１及び図１４に示すように第１の棒状プレート１４が完全に下垂された状態において長ボルト３８は長孔３７の略中央位置に配置される。この時第１の棒状プレート１４は背もたれ１１の側方であって背もたれ１１の厚み内に収まるように起立状態で格納されることとなる。また、第２の棒状プレート１５は補強プレート５に沿って水平に配置され座面枠２よりも若干下がった位置に格納されることとなる。肘掛け１３のこのような配置位置は第２の屈曲位置に相当する。
この時、再びロックナット３５を締め付けることによって図８の機構概念図に示すように３節リンクを構成することとなるため上記図６における説明と同様肘掛け１３（第１及び第２の棒状プレート１４，１５）はその位置で安定して保持されることとなる。
このように肘掛け１３が格納されることによって肘掛け１３が邪魔にならなくなり、例えば椅子１に座っていた人がそのまま体をずらしながら座面枠２側方に移動して椅子１から降りることができるようになる。また、例えばベッドに寝ている状態からそのまま体をずらしながら椅子１の側方から座面枠２に乗り込むことができることとなる。その際に第２の棒状プレートはちょうど座面枠２と平行に座面の側方に配置されるため移動の際に手を置いたり尻を載せたりする移動補助部材として利用することが可能である。
【００１５】
本発明は上記実施の形態２のように構成することにより実施の形態１の（１）及び（２）の効果に加え次のような具体的効果を奏する。
（１）肘掛け１３の使用位置と格納位置のいずれにおいてもロックナット３５を締め付けることによって肘掛け１３を構成する第１及び第２の棒状プレート１４，１５が３節リンクを構築するため、簡単な仕組みでしっかり安定してその位置で保持されることとなる。
【００１６】
（実施の形態３）
以下実施の形態３の説明では実施の形態１又は２と共通する構成については詳しい説明を省略する。実施の形態３における図示において実施の形態１又は２と共通する構成部材については共通した番号を付す。
図１５〜図１７に示すように、実施の形態３における椅子５１は背もたれ３２の外側面３２ａ及び補強プレート５の外側面５ａに対して略Ｌ字状の補助プレート４１が配設されている。補助プレート４１は横プレート４２と縦プレート４３とから構成されている。座面枠２及び背もたれ３２の左右側方には一対の肘掛け１３が配設されている。実施の形態１及び実施の形態２とは異なり肘掛け１３の第２の棒状プレート１５の基部１９は横プレート４２の外壁面４２ａに対して回動可能に取着されている。
実施の形態１及び実施の形態２とは異なり肘掛け１３の第１の棒状プレート１４の基部１７は縦プレート４３の上部に形成された長溝４５に沿って上下移動可能とされている。以下、図１８〜図２０に基づいて長溝４５付近の構造について説明する。
長溝４５は縦プレート４３の上部位置に上下方向に沿って形成されている。第１の棒状プレート１４の基部１７に挿通されたピン１８の一端は長溝４５内に至っている。ピン１８のり同長溝４５内に配置された端部には長溝４５の幅よりも大径のヘッド４６が形成されている。その結果ピン１８は長溝４５から脱落することなく長溝４５に沿って上下にスライド移動可能とされており、ピン１８の可動範囲において第１の棒状プレート１４の基部１７も共に上下方向に移動することとなる。
【００１７】
次にこのように構成された椅子５１の作用について詳述する。
図１５に示すように、通常の椅子としての使用状態においては肘掛け１３は第１の棒状プレート１４が水平に延出され、第２の棒状プレート１５は第１の棒状プレート１４の前寄り位置で下方から第１の棒状プレート１４を支持するように配置されることとなる。肘掛け１３のこのような配置位置は第１の屈曲位置に相当する。この時、図１５及び図１８に示すように、第１の棒状プレート１４の基部１７を挿通するピン１８は長溝４５の最も下部位置に配置されている。
図６の機構概念図に示すように、このように配置された肘掛け１３は回り対偶で連結された一種のリンク装置と考えることが可能である。このリンク装置は３節リンクとなるためリンクの長さが変わらない限り規制されて互いに動くことはできない。従って、背もたれ本体８がもっとも下降した状態ではピン１８〜ピン２３、ピン２０〜ピン２３及びピン１８〜ピン２０間の各直線距離は変わらないので肘掛け１３（第１及び第２の棒状プレート１４，１５）は同位置で安定して保持されることとなる。特に第１の棒状プレート１４に肘が実際に載せられた状態では第１の棒状プレート１４は上方から手の重さで押圧されることとなるためなおさら安定感が増す。
【００１８】
一方、肘掛け１３が邪魔な場合にはまず第１の棒状プレート１４の基部１７を上方に移動させていく。つまり、ピン１８を長溝４５に沿って上方に向かってスライド移動させていく。すると図１６に示すように折れ曲がった状態にあった両棒状プレート１４，１５が徐々に伸びて直線状となる。このとき図１９に示すようにピン１８は長溝４５の上端位置に配置されることとなる。肘掛け１３のこのような配置位置は屈曲方向転換位置に相当する。
図７の機構概念図に示すように、両棒状プレート１４，１５が一直線状になった状態でピン２３は両棒状プレート１４，１５が外方・内方いずれにも折れ曲がることができる思案点に相当する位置に存在することとなる。ここで肘掛け１３を格納するために使用者は接続部２１，２２を内方側に若干押してやり内方に折り曲げていく。同時にピン１８は長溝４５を再び下降していく。第１の棒状プレート１４はピン１８の下降とともにピン１８を支点にして自重によって後方に向かって揺動していく。両棒状プレート１４，１５の内方への折れ曲がりに伴って第２の棒状プレート１５の基部１９は徐々に後退し、図１７及び図２０に示すように第１の棒状プレート１４が完全に下垂された状態においてピン１８は長溝４５の略中央位置に配置される。この時第１の棒状プレート１４は背もたれ１１の側方であって背もたれ１１の厚み内に収まるように起立状態で格納されることとなる。また、第２の棒状プレート１５は補強プレート５に沿って水平に配置され座面枠２よりも若干下がった位置に格納されることとなる。肘掛け１３のこのような配置位置は第２の屈曲位置に相当する。
この時、図８の機構概念図に示すように３節リンクを構成することとなるため上記図６における説明と同様肘掛け１３（第１及び第２の棒状プレート１４，１５）はその位置で安定して保持されることとなる。
このように肘掛け１３が格納されることによって肘掛け１３が邪魔にならなくなり、例えば椅子１に座っていた人がそのまま体をずらしながら座面枠２側方に移動して椅子１から降りることができるようになる。また、例えばベッドに寝ている状態からそのまま体をずらしながら椅子１の側方から座面枠２に乗り込むことができることとなる。その際に第２の棒状プレートはちょうど座面枠２と平行に座面の側方に配置されるため移動の際に手を置いたり尻を載せたりする移動補助部材として利用することが可能である。
【００１９】
本発明は上記実施の形態３のように構成することにより実施の形態１の（１）及び（２）の効果に加え次のような具体的効果を奏する。
（１）第１の棒状プレート１４を軽く持ち上げてやるだけで非常に速やか使用状態にある肘掛け１３を格納状態に変更することが可能となる。
【００２０】
尚、この発明は、次のように変更して具体化することも可能である。
・上記各実施の形態では肘掛け１３は第１及び第２の棒状プレート１４，１５を連結して構成するようにしていたが、別体で構成された連結部材を介して両棒状プレート１４，１５を連結するようにしてもよい。
・第１及び第２の棒状プレート１４，１５の基部１７，１９の連結位置は上記に限定されるものではない。
・実施の形態１の背もたれ基部６に形成されたほぞ７は逆に背もたれ本体８側に形成するようにしても構わない。
・左右いずれか片方のみに肘掛けが形成されているようなデザインの椅子であっても応用可能である。
・上記各実施の形態の椅子１，３１，５１のデザインは一例であって、脚部３の数やクッションの有無、形状はもちろん変更可能である。また、脚部のない座椅子に応用することも可能である。
・第１及び第２の棒状プレート１４，１５の格納時の配置位置は設計によって上記とは若干異なる位置に配置されても構わない。例えば第２の棒状プレート１５は上記では補強プレート５に沿って水平に配置（格納）されていたが、第２の棒状プレート１５の基部１９の位置によっては第２の棒状プレート１５は座面枠２に沿って水平に配置されるケースもありうる。
・上記のように肘掛け１３は各椅子１，３１，５１において片方のみを図示して詳しく説明したが、対称位置にあるもう一方の肘掛け１３の構成は対称形状であること以外各実施の形態でまったく同じ構成とされている。
・その他、本発明の趣旨を逸脱しない態様で実施することは自由である。
【図面の簡単な説明】
【００２１】
【図１】本発明の実施の形態１の椅子における肘掛け使用可能状態の一部切り欠き斜視図。
【図２】同じ実施の形態１の椅子における肘掛け格納途中の状態の一部切り欠き斜視図。
【図３】同じ実施の形態１の椅子における肘掛け格納完了状態の一部切り欠き斜視図。
【図４】同じ実施の形態１の椅子の肘掛け格納途中の状態の側面図。
【図５】同じ実施の形態１の椅子の背もたれを付近の説明図。
【図６】各実施の形態における椅子の肘掛け使用可能状態での機構概念図。
【図７】各実施の形態における椅子の肘掛け格納途中での機構概念図。
【図８】各実施の形態における椅子の肘掛け格納完了状態での機構概念図。
【図９】本発明の実施の形態２の椅子における肘掛け使用可能状態の一部切り欠き斜視図。
【図１０】同じ実施の形態２の椅子における肘掛け格納途中の状態の一部切り欠き斜視図。
【図１１】同じ実施の形態２の椅子における肘掛け格納完了状態の一部切り欠き斜視図。
【図１２】同じ実施の形態２のロックナット付近の拡大断面図。
【図１３】同じ実施の形態２のロックナット付近の拡大断面図。
【図１４】同じ実施の形態２のロックナット付近の拡大断面図。
【図１５】本発明の実施の形態３の椅子における肘掛け使用可能状態の一部切り欠き斜視図。
【図１６】同じ実施の形態３の椅子における肘掛け格納途中の状態の一部切り欠き斜視図。
【図１７】同じ実施の形態３の椅子における肘掛け格納完了状態の一部切り欠き斜視図。
【図１８】同じ実施の形態３の補助プレート（縦プレート）の長溝付近の拡大断面図。
【図１９】同じ実施の形態３の補助プレート（縦プレート）の長溝付近の拡大断面図。
【図２０】同じ実施の形態３の補助プレート（縦プレート）の長溝付近の拡大断面図。
【図２１】ベッドと椅子との配置関係を説明する概念図。
【符号の説明】
【００２２】
１，３１，５１…肘掛け付き椅子、２…座面を構成する座面枠、１１…背もたれ、１３…肘掛け、１４…第１の棒状部材としての棒状プレート、１５…第２の棒状部材としての棒状プレート、１７…基端連結部としての基部、１９…基端連結部としての基部、２１…先端連結部としての接続部、２２…先端連結部としての接続部、３２…背もたれ。
【図１】
2006006619.tif 000003
【図２】
2006006619.tif 000004
【図３】
2006006619.tif 000005
【図４】
2006006619.tif 000006
【図５】
2006006619.tif 000007
【図６】
2006006619.tif 000008
【図７】
2006006619.tif 000009
【図８】
2006006619.tif 000010
【図９】
2006006619.tif 000011
【図１０】
2006006619.tif 000012
【図１１】
2006006619.tif 000013
【図１２】
2006006619.tif 000014
【図１３】
2006006619.tif 000015
【図１４】
2006006619.tif 000016
【図１５】
2006006619.tif 000017
【図１６】
2006006619.tif 000018
【図１７】
2006006619.tif 000019
【図１８】
2006006619.tif 000020
【図１９】
2006006619.tif 000021
【図２０】
2006006619.tif 000022
【図２１】
2006006619.tif 000023